(57)【要約】【課題】  緊急時、停電であっても、扉体を安全に降下させる水門用開閉装置を提供する。【解決手段】  水門用開閉装置は、水門を開閉する扉体と、この扉体の上部に接続されるチェーンと、扉体を上昇させるための電動機４と、自重降下する扉体の降下速度を調節する遠心ブレーキ５とを備えており、特に、扉体が自重降下する際、扉体の荷重が、チェーンから駆動スプロケット３８、３９、被駆動軸３６、３７及び駆動軸、さらに複数の歯車を介して遠心ブレーキ５に伝達され、この遠心ブレーキ５において、被駆動軸３６、３７を介して駆動スプロケット３８、３９に伝達される回転駆動が一定速度以下に調節されるので、扉体を安全に降下させることができる。【選択図】        図３
2005146522.tif 000002
【特許請求の範囲】
【請求項１】
水門を開閉する扉体の上部にチェーンが接続され、該チェーンは、電動機からの駆動が伝達される被駆動軸に設けた駆動スプロケットに係合されると共に、前記被駆動軸には、前記扉体が自重降下する際、その降下速度を調節する遠心ブレーキが連結されることを特徴とする水門用開閉装置。
【発明の詳細な説明】
【技術分野】
【０００１】
本発明は、水門を開閉するために設けた水門用開閉装置に関するものである。
【背景技術】
【０００２】
河川に通じる水路には水門が設置され、水門用開閉装置の扉体の昇降によって水門を開閉するようになっている。従来の水門用開閉装置として特許文献１には、水門上部の操作台に駆動装置を備え、この駆動装置から延設する出力軸に駆動スプロケットを設け、扉体を昇降させるチェーンの両端が扉体の上部に取付られると共に、このチェーンの中間部が駆動スプロケット、及び案内スプロケットに巻回されており、案内スプロケットの取付位置が扉体から案内スプロケットに巻回されるチェーン取付位置よりも下方に位置することが開示されている。
【０００３】
【特許文献１】特開平８−８５９３４号公報
【発明の開示】
【発明が解決しようとする課題】
【０００４】
上述した特許文献１の発明では、駆動装置からの駆動力によって扉体を降下させているために、緊急時（台風、洪水等）において、停電により駆動装置が作動できない場合に、付属の手動ハンドルを回して扉体を閉操作する必要があり、作業が煩雑で改良する余地が十分にある。
【０００５】
本発明は、かかる点に鑑みてなされたものであり、緊急時、停電であっても、扉体を安全に自重降下させる水門用開閉装置を提供することを目的とする。
【課題を解決するための手段】
【０００６】
本発明は、上記課題を解決するための手段として、請求項１に記載した発明は、水門を開閉する扉体の上部にチェーンが接続され、該チェーンは、電動機からの駆動が伝達される被駆動軸に設けた駆動スプロケットに係合されると共に、前記被駆動軸には、前記扉体が自重降下する際、その降下速度を調節する遠心ブレーキが連結されることを特徴とするものである。
このように構成することにより、停電時、無動力においても扉体は自重で降下し、降下する際には、チェーンが係合する駆動スプロケットの被駆動軸に複数の歯車を介して連結される遠心ブレーキによって、扉体の降下速度が一定速度以下となるように調節されるので、扉体は安全に自重降下できる。
【発明の効果】
【０００７】
本発明の水門用開閉装置によれば、緊急時において、停電時等で駆動装置が作動できない場合においても、簡単な操作によって扉体の閉操作が可能となり、緊急時の対策を容易に行うことができる。例えば、海岸沿いで設置された水門等で、地震発生後の津波対策においても、簡単な操作で扉体を安全に緊急降下させることができ、津波の被害を最小にすることができる。
【発明を実施するための最良の形態】
【０００８】
以下、本発明を実施するための最良の形態を図１〜図４に基いて詳細に説明する。
本発明の実施の形態に係る水門用開閉装置１は、図１〜図３に示すように、水門を開閉する扉体２と、一端が扉体２の上部に接続されるチェーン３と、扉体２を上昇させるためにチェーン３に駆動力を供給する電動機４と扉体２が自重下降する際その降下速度を一定速度以下の安全な速度に調節する遠心ブレーキ５とを備えた駆動装置６とから概略構成されている。
【０００９】
図１及び図２に示すように、水門には、水門を開閉するための扉体２が配設されており、この扉体２の上部の両端には、チェーン３の一端が吊金具１０を介してそれぞれ固定され、駆動装置６の電動機４からの駆動力をチェーン３に伝達することにより扉体２を上昇させている。また、このチェーン３はチェーンカバー１１で覆われている。水門の両岸には、門柱１２、１２がそれぞれ立設され、これらの門柱１２、１２の上部には、設置台１４が掛け渡されており、この設置台１４に各チェーン３に駆動力を供給する駆動装置６が載置されている。また、この設置台１４には、防護柵１５が設けられている。
扉体２の両端でその下方には、各２個ずつローラ２ａが装着されると共に、両側の門柱１２、１２にはそれぞれ戸当り１３、１３が設けられ、各ローラ２ａが戸当り１３の前面を転がり、扉体２がスムーズに上下動するように構成されている。
【００１０】
駆動装置６には、図３及び図４に示すように、電動機４と、電動機４からの回転駆動を伝達する複数の歯車とが備えられ、電動機４の出力軸には複数の平歯車２１〜２３、及び遊星歯車２４が噛み合い、この遊星歯車２４には傘歯車２５を介して遊星歯車２６が連結され、さらにこの遊星歯車２６には平歯車２７、２８を介して左右に延設される駆動軸１５、１６が連結されている。また、符号３１で示すものは、電動機４と遊星歯車２４との間に設けたブレーキである。
この駆動装置６の左右から延設された各駆動軸１５、１６は、図３に示すように、カップリング１７、１７を介して一対の連結軸１８、１９に連結されており、一対の連結軸１８、１９は、カップリング３５、３５を介して各被駆動軸３６、３７に連結されている。各被駆動軸３６、３７には、それぞれ駆動スプロケット３８、３９が固定されており、これらの駆動スプロケット３８、３９にそれぞれチェーン３が係合される。
【００１１】
また、この駆動装置６には、図３及び図４に示すように、遠心ブレーキ５が備えられており、扉体２の自重降下による荷重がチェーン３から駆動スプロケット３８、３９及び被駆動軸３６、３７を介して伝達される駆動軸１５、１６には、この駆動軸１５、１６に固定された平歯車２８に平歯車３３が噛み合い、さらに平歯車２７に遊星歯車２６、及び平歯車２９、３０がそれぞれ噛み合って遠心ブレーキ５に連結されている。また、遊星歯車２６と遠心ブレーキ５との間には、多板クラッチ４１と、落下防止用ブレーキ４２とが配設されており、多板クラッチ４１の近傍には、多板クラッチ４１を解放させる自重降下レバー４０が配設されている。ここで、符号４３で示すものは、手動操作ハンドルであり、符号３２で示すものは、非常上下限検出装置である。
【００１２】
次に、本発明の実施の形態に係る水門用開閉装置１の作用について説明する。
まず、扉体２を上昇させる時には、電動機４を駆動させて、電動機４からの回転駆動が複数の平歯車２１〜２３を介して遊星歯車２４に伝達されると共に、その回転駆動が遊星歯車２４から傘歯車２５を介して遊星歯車２６の太陽歯車に入力され、遊星歯車２６から平歯車２７、３３、２８を介して左右に延設される各駆動軸１５、１６に伝達される。さらに、各駆動軸１５、１６からの回転駆動は、一対の連結軸１８、１９を介して各被駆動軸３６、３７の駆動スプロケット３８、３９に伝達されて、駆動スプロケット３８、３９が回転駆動してチェーン３と共に扉体２が上昇する。
次に、上昇した状態の扉体２を降下させる時には、まず、自重降下レバー４０を回動して多板クラッチ４１を解放し、落下防止用ブレーキ４２との連結を解除する。すると、扉体２は自重により降下を始め、自重降下する扉体２の荷重が、チェーン３から駆動スプロケット３８、３９、被駆動軸３６、３７及び駆動軸１５、１６の平歯車２８に伝達されると共に、平歯車２８から平歯車３３、２７及び遊星歯車２６に伝達され、遊星歯車２６のリング歯車２６ａから平歯車２９、３０を介して遠心ブレーキ５に伝達される（図４の太線が伝達径路となる）。そして、この遠心ブレーキ５において、駆動スプロケット３８、３９に伝達される回転駆動が一定速度以下に調節され、扉体２は、安全に自重降下するようになる。
なお、多板クラッチ４１を電磁クラッチとして構成し、遠隔から電気信号を送ることにより電磁クラッチを解放して、落下防止用ブレーキ４２を解除してもよい。
【００１３】
以上説明したように、本発明の実施の形態に係る水門用開閉装置１によれば、特に、扉体２を自重降下させる際、自重降下レバー４０を回動すると、自重降下する扉体２の荷重が、チェーン３を介して駆動スプロケット３８、３９、被駆動軸３６、３７及び駆動軸１５、１６に伝達されると共に、複数の歯車２７、２６等を介して遠心ブレーキ５に伝達される。これにより、扉体２の自重降下による、被駆動軸３６、３７を介して駆動スプロケット３８、３９に伝達される回転駆動が遠心ブレーキ５によって一定速度以下に調節されて、扉体２は安全な速度で自重降下することが可能となり、緊急時において停電等で電動機４が駆動できない場合には、自重降下レバー４０を操作するだけで、扉体２を安全に自重降下させることができる。
【図面の簡単な説明】
【００１４】
【図１】図１は、本発明の実施の形態に係る水門用開閉装置の正面図である。
【図２】図２は、本発明の実施の形態に係る水門用開閉装置の側面図である。
【図３】図３は、本発明の実施の形態に係る水門用開閉装置の駆動装置の上面図である。
【図４】図４は、本発明の実施の形態に係る水門用開閉装置の駆動装置内の駆動伝達径路を示す図である。
【符号の説明】
【００１５】
１          水門用開閉装置
２          扉体
３          チェーン
４          電動機
５          遠心ブレーキ
６          駆動装置
３６、３７  被駆動軸
３８、３９  駆動スプロケット
【図１】
2005146522.tif 000003
【図２】
2005146522.tif 000004
【図３】
2005146522.tif 000005
【図４】
2005146522.tif 000006